(57)【要約】【課題】共通データと可変データとが印刷された印刷物を迅速かつ効率的に検査することを可能とする印刷物検査装置及び印刷装置等を提供する。【解決手段】検査装置３は、撮像部２５により、良否判定の基準となる印刷物１７を撮像して基準画像３１を取得してメモリ２３に保持する。検査装置３は、可変データ４３のアドレス情報３９を取得してメモリ２３に保持する。検査装置３は、撮像部２５により、印刷処理した印刷物１７を撮像して検査画像３３を取得する。検査装置３は、全領域４５からアドレス情報３９に対応する領域（可変領域４９）を除外して共通領域４７を算出する。検査装置３は、共通領域４７について、基準画像３１と検査画像３３とを比較処理し、共通領域比較情報３５を算出する。検査装置３は、共通領域比較情報３５に基づいて印刷物１７の良否判定を行う。【選択図】図２
2007226616.tif 000002
【特許請求の範囲】
【請求項１】
各印刷物に共通の共通データと各印刷物毎に異なる可変データとが印刷された複数の印刷物を検査する印刷物検査装置であって、
基準となる印刷物の撮像を行い基準画像を取得する基準画像取得手段と、
検査対象の印刷物の撮像を行い検査画像を取得する検査画像取得手段と、
前記可変データの領域の位置を示すアドレス情報を取得するアドレス情報取得手段と、
前記アドレス情報に基づいて、前記可変データにマスク処理を行い、前記共通データの領域における前記基準画像と前記検査画像との比較情報である共通領域比較情報を算出する共通領域比較情報算出手段と、
前記共通領域比較情報に基づいて前記印刷物の良否を判定する判定手段と、
を具備することを特徴とする印刷物検査装置。
【請求項２】
前記共通領域比較情報算出手段は、前記印刷物の全領域から前記アドレス情報が示す領域を除外して前記共通領域を算出し、当該共通領域について前記基準画像と前記検査画像との比較処理を行うことを特徴とする請求項１に記載の印刷物検査装置。
【請求項３】
前記共通領域比較情報算出手段は、前記印刷物の全領域について前記基準画像と前記検査画像との比較処理を行って全領域比較情報を算出し、当該全領域比較情報から前記アドレス情報が示す領域に関する比較情報を除外して前記共通領域比較情報を算出することを特徴とする請求項１に記載の印刷物検査装置。
【請求項４】
前記アドレス情報取得手段は、前記共通データと前記可変データとを対応付ける対応情報に基づいて前記アドレス情報を取得することを特徴とする請求項１から請求項３までのいずれかに記載の印刷物検査装置。
【請求項５】
前記アドレス情報取得手段は、前記異なる可変データが印刷された複数の印刷物を撮像して比較処理することにより前記アドレス情報を算出することを特徴とする請求項１から請求項４までのいずれかに記載の印刷物検査装置。
【請求項６】
各印刷物に共通の共通データと各印刷物毎に異なる可変データとが印刷された複数の印刷物を検査する印刷物検査方法であって、
基準となる印刷物の撮像を行い基準画像を取得する基準画像取得ステップと、
検査対象の印刷物の撮像を行い検査画像を取得する検査画像取得ステップと、
前記可変データの領域の位置を示すアドレス情報を取得するアドレス情報取得ステップと、
前記アドレス情報に基づいて、前記可変データにマスク処理を行い、前記共通データの領域における前記基準画像と前記検査画像との比較情報である共通領域比較情報を算出する共通領域比較情報算出ステップと、
前記共通領域比較情報に基づいて前記印刷物の良否を判定する判定ステップと、
を具備することを特徴とする印刷物検査方法。
【請求項７】
前記共通領域比較情報算出ステップは、前記印刷物の全領域から前記アドレス情報が示す領域を除外して前記共通領域を算出し、当該共通領域について前記基準画像と前記検査画像との比較処理を行うことを特徴とする請求項６に記載の印刷物検査方法。
【請求項８】
前記共通領域比較情報算出ステップは、前記印刷物の全領域について前記基準画像と前記検査画像との比較処理を行って全領域比較情報を算出し、当該全領域比較情報から前記アドレス情報が示す領域に関する比較情報を除外して前記共通領域比較情報を算出することを特徴とする請求項６に記載の印刷物検査方法。
【請求項９】
前記アドレス情報取得ステップは、前記共通データと前記可変データとを対応付ける対応情報に基づいて前記アドレス情報を取得することを特徴とする請求項６から請求項８までのいずれかに記載の印刷物検査方法。
【請求項１０】
前記アドレス情報取得ステップは、前記異なる可変データが印刷された複数の印刷物を撮像して比較処理することにより前記アドレス情報を算出することを特徴とする請求項６から請求項９までのいずれかに記載の印刷物検査方法。
【請求項１１】
コンピュータを請求項１から請求項５までのいずれかに記載の印刷物検査装置として機能させるプログラム。
【請求項１２】
コンピュータを請求項１から請求項５までのいずれかに記載の印刷物検査装置として機能させるプログラムを記録したコンピュータ読取可能な記録媒体。
【請求項１３】
各印刷物に共通の共通データと各印刷物毎に異なる可変データとを印刷して複数の印刷物を印刷する印刷装置であって、
印刷対象に前記共通データ及び前記可変データを印刷する印刷手段と、
基準となる印刷物の撮像を行い基準画像を取得する基準画像取得手段と、
前記印刷手段により印刷した印刷物の撮像を行い検査画像を取得する検査画像取得手段と、
前記可変データの領域の位置を示すアドレス情報を取得するアドレス情報取得手段と、
前記アドレス情報に基づいて、前記可変データにマスク処理を行い、前記共通データの領域における前記基準画像と前記検査画像との比較情報である共通領域比較情報を算出する共通領域比較情報算出手段と、
前記共通領域比較情報に基づいて前記印刷物の良否を判定する判定手段と、
を具備することを特徴とする印刷装置。
【請求項１４】
各印刷物に共通の共通データと各印刷物毎に異なる可変データとを印刷して複数の印刷物を印刷する印刷方法であって、
印刷対象に前記共通データ及び前記可変データを印刷する印刷ステップと、
基準となる印刷物の撮像を行い基準画像を取得する基準画像取得ステップと、
前記印刷ステップにより印刷した印刷物の撮像を行い検査画像を取得する検査画像取得ステップと、
前記可変データの領域の位置を示すアドレス情報を取得するアドレス情報取得ステップと、
前記アドレス情報に基づいて、前記可変データにマスク処理を行い、前記共通データの領域における前記基準画像と前記検査画像との比較情報である共通領域比較情報を算出する共通領域比較情報算出ステップと、
前記共通領域比較情報に基づいて前記印刷物の良否を判定する判定ステップと、
を具備することを特徴とする印刷方法。
【発明の詳細な説明】
【技術分野】
【０００１】
本発明は、印刷物を検査する印刷物検査装置及び印刷装置等に関する。詳細には、各印刷物に共通の共通データ及び各印刷物毎に異なる可変データを印刷して検査する印刷物検査装置及び印刷装置等に関する。
【背景技術】
【０００２】
従来、印刷物の良否を判定する検査は、印刷オペレータが正しいと判断した印刷物から得られた画像（基準画像）を基準として、検査対象の印刷物から得られた画像（検査画像）と比較することにより行われる。
近年、デジタル複合機の高速化に伴い、ダイレクトメールや各種利用明細書等の印刷には、共通データ（背景絵柄等）と可変データ（個人情報等）とを含んだ印刷が行われる。印刷装置は、元データであるデジタルデータと印字データとの同一性や、紙詰まり及びスキュー（軸ずれ）の発生等の監視を行う。
【０００３】
また、共通データの基準画像と可変データの基準画像をそれぞれ予め入力し、これらの基準画像を用いてマスク処理を行い、検査対象の共通データあるいは可変データの検査を行う印刷物検査装置が提案されている（例えば、［特許文献１］参照。）。
【０００４】
【特許文献１】特開２００３−５４０９６号公報
【発明の開示】
【発明が解決しようとする課題】
【０００５】
しかしながら、従来の印刷装置は、印字されたものに対しての検査が行われておらず、例えば、印刷汚れや印刷抜け等を検出することができないという問題点がある。
また、［特許文献１］が示す印刷物検査装置では、共通データの基準画像と可変データの基準画像がそれぞれ必要であり、これらのデータを作成して入力するために処理負担が増大するという問題点がある。
【０００６】
本発明は、以上の問題点に鑑みてなされたものであり、共通データと可変データとが印刷された印刷物を迅速かつ効率的に検査することを可能とする印刷物検査装置及び印刷装置等を提供することを目的とする。
【課題を解決するための手段】
【０００７】
前述した目的を達成するために第１の発明は、各印刷物に共通の共通データと各印刷物毎に異なる可変データとが印刷された複数の印刷物を検査する印刷物検査装置であって、基準となる印刷物の撮像を行い基準画像を取得する基準画像取得手段と、検査対象の印刷物の撮像を行い検査画像を取得する検査画像取得手段と、前記可変データの領域の位置を示すアドレス情報を取得するアドレス情報取得手段と、前記アドレス情報に基づいて、前記可変データにマスク処理を行い、前記共通データの領域における前記基準画像と前記検査画像との比較情報である共通領域比較情報を算出する共通領域比較情報算出手段と、前記共通領域比較情報に基づいて前記印刷物の良否を判定する判定手段と、を具備することを特徴とする印刷物検査装置である。
【０００８】
印刷物検査装置は、基準となる印刷物の撮像を行い基準画像を取得し、検査対象の印刷物の撮像を行い検査画像を取得し、アドレス情報に基づいて可変データの領域にマスク処理を行い、共通データの領域について基準画像と検査画像との共通領域比較情報を算出して印刷物の良否を判定する。
【０００９】
共通領域比較情報の算出に関しては、印刷物の全領域からアドレス情報が示す領域を除外して共通領域を算出し、当該共通領域について基準画像と検査画像との比較処理を行うようにしてもよい。また、印刷物の全領域について基準画像と検査画像との比較処理を行って全領域比較情報を算出し、当該全領域比較情報からアドレス情報が示す領域に関する比較情報を除外して共通領域比較情報を算出してもよい。
すなわち、可変データの領域へのマスク処理は、比較処理の前後どちらの時点で行ってもよい。
【００１０】
アドレス情報の取得に関しては、共通データと可変データとを対応付ける対応情報を自動的に印刷物検査装置に入力するようにしてもよい。この対応情報の入力は、可変データを共通データとしてのフォームに配置する変換プログラムを用いて行うことが望ましい。また、アドレス情報は、印刷物検査装置に入力される印刷データから抽出することもできる。また、異なる可変データが印刷された複数の印刷物を撮像して比較処理を行い、可変データの領域を抽出してアドレス情報を算出するようにしてもよい。
【００１１】
第１の発明では、印刷物検査装置は、可変データのアドレス情報から可変データの領域にマスクして基準画像と検査画像との比較情報を算出し、この比較情報に基づいて良否判定を行うことにより、可変データを含む印刷物の検査処理を行うことができる。
可変データのアドレス情報については、各種データをフォーム上に配置して印刷データへの変換を行う変換プログラムや印刷データから自動的に取得することができるので、可変データの領域へのマスク処理に係る労力的負担を増大させることなく、共通データの領域の検査を行うことができる。
【００１２】
第２の発明は、各印刷物に共通の共通データと各印刷物毎に異なる可変データとが印刷された複数の印刷物を検査する印刷物検査方法であって、基準となる印刷物の撮像を行い基準画像を取得する基準画像取得ステップと、検査対象の印刷物の撮像を行い検査画像を取得する検査画像取得ステップと、前記可変データの領域の位置を示すアドレス情報を取得するアドレス情報取得ステップと、前記アドレス情報に基づいて、前記可変データにマスク処理を行い、前記共通データの領域における前記基準画像と前記検査画像との比較情報である共通領域比較情報を算出する共通領域比較情報算出ステップと、前記共通領域比較情報に基づいて前記印刷物の良否を判定する判定ステップと、を具備することを特徴とする印刷物検査方法である。
第２の発明は、各印刷物に共通の共通データと各印刷物毎に異なる可変データとが印刷された複数の印刷物を検査する印刷物検査方法に関する発明である。
【００１３】
第３の発明は、コンピュータを第１の発明の印刷物検査装置として機能させるプログラムである。
第４の発明は、コンピュータを第１の発明の印刷物検査装置として機能させるプログラムを記録したコンピュータ読取可能な記録媒体である。
尚、上記のプログラムをＣＤ−ＲＯＭ等の記録媒体に保持させて流通させてもよいし、このプログラムを通信回線を介して送受することもできる。
【００１４】
第５の発明は、各印刷物に共通の共通データと各印刷物毎に異なる可変データとを印刷して複数の印刷物を印刷する印刷装置であって、印刷対象に前記共通データ及び前記可変データを印刷する印刷手段と、基準となる印刷物の撮像を行い基準画像を取得する基準画像取得手段と、前記印刷手段により印刷した印刷物の撮像を行い検査画像を取得する検査画像取得手段と、前記可変データの領域の位置を示すアドレス情報を取得するアドレス情報取得手段と、前記アドレス情報に基づいて、前記可変データにマスク処理を行い、前記共通データの領域における前記基準画像と前記検査画像との比較情報である共通領域比較情報を算出する共通領域比較情報算出手段と、前記共通領域比較情報に基づいて前記印刷物の良否を判定する判定手段と、を具備することを特徴とする印刷装置である。
第５の発明は、各印刷物に共通の共通データと各印刷物毎に異なる可変データとを印刷して印刷物の検査を行う印刷装置に関する発明である。
【００１５】
第６の発明は、各印刷物に共通の共通データと各印刷物毎に異なる可変データとを印刷して複数の印刷物を印刷する印刷方法であって、印刷対象に前記共通データ及び前記可変データを印刷する印刷ステップと、基準となる印刷物の撮像を行い基準画像を取得する基準画像取得ステップと、前記印刷ステップにより印刷した印刷物の撮像を行い検査画像を取得する検査画像取得ステップと、前記可変データの領域の位置を示すアドレス情報を取得するアドレス情報取得ステップと、前記アドレス情報に基づいて、前記可変データにマスク処理を行い、前記共通データの領域における前記基準画像と前記検査画像との比較情報である共通領域比較情報を算出する共通領域比較情報算出ステップと、前記共通領域比較情報に基づいて前記印刷物の良否を判定する判定ステップと、を具備することを特徴とする印刷方法である。
第６の発明は、各印刷物に共通の共通データと各印刷物毎に異なる可変データとを印刷して印刷物の検査を行う印刷方法に関する発明である。
【発明の効果】
【００１６】
本発明によれば、共通データと可変データとが印刷された印刷物を迅速かつ効率的に検査することを可能とする印刷物検査装置及び印刷装置等を提供することができる。
【発明を実施するための最良の形態】
【００１７】
以下、添付図面を参照しながら、本発明の実施の形態に係る印刷装置の好適な実施形態について詳細に説明する。なお、以下の説明及び添付図面において、略同一の機能構成を有する構成要素については、同一の符号を付することにより重複説明を省略することにする。
【００１８】
（１．印刷装置１の構成）
最初に、図１を参照しながら、印刷装置１の構成について説明する。
図１は、印刷装置１の構成図である。
【００１９】
印刷装置１は、検査装置３、フィーダ部９、印刷部１１、ソート部１３から構成される。尚、図１には、代表的な印刷装置について図示したが、他の装置構成を採ることもできる。
印刷装置１は、コンピュータ等の端末装置５から送られる印刷データに基づいて印刷処理を行う装置である。検査装置３は、印刷物１７を検査する装置であり、ソート部１３に設けられる。
フィーダ部９は、印刷対象である用紙１５を印刷部１１に搬送する装置である。印刷部１１は、用紙１５に印刷処理を行って印刷物１７を印刷する装置である。ソート部１３には、印刷物１７が排出される。
【００２０】
（２．検査装置３のハードウェア構成）
次に、図２を参照しながら、検査装置３のハードウェア構成について説明する。
図２は、検査装置３のハードウェア構成図である。
【００２１】
検査装置３は、ＣＰＵ２１、メモリ２３、撮像部２５、表示部２７から構成される。尚、図２のハードウェア構成は一例であり、様々な構成を採ることが可能である。
検査装置３は、撮像部２５により印刷物１７の画像を撮像し、ＣＰＵ２１により画像データに基づいて印刷物１７の良否を判定し、結果を表示部２７に表示する。
【００２２】
ＣＰＵ（Ｃｅｎｔｒａｌ  Ｐｒｏｃｅｓｓｉｎｇ  Ｕｎｉｔ）２１は、記憶装置、ＲＯＭ、記録媒体等に格納される実行プログラム、ＯＳ（オペレーションシステム）のプログラム、アプリケーションプログラム等をＲＡＭ上のワークメモリ領域に呼び出して実行し、演算処理（四則演算や比較演算等）、ハードウェアやソフトウェアの動作制御等を行い、後述する各種機能を実現する。
【００２３】
メモリ２３は、画像データや画像処理や演算処理に関する情報を保持する記憶装置である。メモリ２３は、基準画像３１、検査画像３３、共通領域比較情報３５、全領域比較情報３７、アドレス情報３９を保持する。尚、これらの画像データや情報を記憶するメモリを独立して設けるようにしてもよいし、ＲＡＭ上に適宜領域を割り当てるようにしてもよい。
【００２４】
撮像部２５は、印刷物１７の画像データを取得する装置である。撮像部２５は、例えば、受光素子（画素）を配列したＣＣＤ（Ｃｈａｒｇｅ  Ｃｏｕｐｌｅｄ  Ｄｅｖｉｃｅ）等の光センサ、駆動回路、結像光学系等からなるカメラである。
表示部２７は、検査結果等を表示する表示装置である。表示部２７は、例えば、ＬＣＤ（Ｌｉｑｕｉｄ  Ｃｒｙｓｔａｌ  Ｄｉｓｐｌａｙ）である。
【００２５】
（３．印刷物１７）
図３は、印刷物１７を示す図である。
印刷物１７は、用紙１５に共通データ４１及び可変データ４３が印刷されたものである。共通データ４１は、各印刷物１７に共通の印刷データであり、例えば、背景画像である。可変データ４３は、各印刷物１７毎に異なる印刷データであり、例えば、氏名や住所等の個人情報である。
【００２６】
図４は、印刷物１７における領域を示す図である。図４（ａ）は、全領域４５を示す。図４（ｂ）は、共通領域４７及び可変領域４９を示す。
全領域４５は、印刷物１７の全体の領域であり、共通領域４７及び可変領域４９を含む領域である。共通領域４７は、印刷物１７において共通データ４１が印刷される領域である。可変領域４９は、印刷物１７において可変データ４３が印刷される領域である。
【００２７】
（４．メモリ２３が保持する情報）
図２を用いて先述したように、メモリ２３は、基準画像３１、検査画像３３、共通領域比較情報３５、全領域比較情報３７、アドレス情報３９を保持する。
基準画像３１は、基準となる良品の印刷物１７の画像データである。
検査画像３３は、検査対象の印刷物１７の画像データである。
共通領域比較情報３５は、共通領域４７について、基準画像３１と検査画像３３とを比較処理した結果を示す情報である。
全領域比較情報３７は、全領域４５について、基準画像３１と検査画像３３とを比較処理した結果を示す情報である。
アドレス情報３９は、印刷物１７における可変領域４９の位置情報である。アドレス情報３９は、例えば、可変領域４９の対角頂点座標である。
【００２８】
（５．検査装置３の動作）
次に、図５及び図６を参照しながら、検査装置３の動作について説明する。図５では比較処理前にマスク処理を行う場合について説明し、図６では、比較処理後にマスク処理を行う場合について説明する。
【００２９】
（５−１．比較処理前にマスク処理を行う場合）
図５は、検査装置３の動作を示すフローチャートである。
【００３０】
検査装置３は、撮像部２５により、良否判定の基準となる印刷物１７を撮像し、基準画像３１としてメモリ２３に保持する（ステップ１０１）。
検査装置３は、可変データ４３のアドレス情報３９を取得し、メモリ２３に保持する（ステップ１０２）。尚、アドレス情報３９の取得については後述する。
印刷装置１の印刷部１１は、用紙１５に印刷処理を行い、印刷物１７を作成する（ステップ１０３）。
検査装置３は、撮像部２５により、印刷処理した印刷物１７を撮像し、検査画像３３としてメモリ２３に保持する（ステップ１０４）。
検査装置３は、全領域４５からアドレス情報３９に対応する領域（可変領域４９）を除外して共通領域４７を算出する（ステップ１０５）。
検査装置３は、共通領域４７について、基準画像３１と検査画像３３とを比較処理し、共通領域比較情報３５を算出する（ステップ１０６）。
検査装置３は、共通領域比較情報３５に基づいて印刷物１７の良否判定を行う（ステップ１０７）。
処理を継続する場合は、ステップ１０３からの処理を繰り返す（ステップ１０８のＮｏ）。
【００３１】
以上の過程を経て、検査装置３は、アドレス情報３９に基づいて可変領域４９を算出し、当該可変領域４９について基準画像３１と検査画像３３との比較処理を行い、比較結果から印刷物１７の良否判定を行う。
このように、検査装置３は、可変領域４９のマスク処理を比較処理の前に行い、共通領域４７について検査処理を行うことができる。
【００３２】
（５−２．比較処理後にマスク処理を行う場合）
図６は、検査装置３の動作を示すフローチャートである。
図５では、検査装置３は、比較処理前に可変領域４９のマスク処理を行うものとして説明したが、図６に示すように、比較処理後に可変領域４９のマスク処理を行うようにしてもよい。
図６のステップ２０１〜ステップ２０４及びステップ２０７及びステップ２０８は、図５のステップ１０１〜ステップ１０４及びステップ１０７及びステップ１０８と同様である。
【００３３】
検査装置３は、撮像部２５により、良否判定の基準となる印刷物１７を撮像し、基準画像３１としてメモリ２３に保持する（ステップ２０１）。
検査装置３は、可変データ４３のアドレス情報３９を取得し、メモリ２３に保持する（ステップ２０２）。尚、アドレス情報３９の取得については後述する。
印刷装置１の印刷部１１は、用紙１５に印刷処理を行い、印刷物１７を作成する（ステップ２０３）。
検査装置３は、撮像部２５により、印刷処理した印刷物１７を撮像し、検査画像３３としてメモリ２３に保持する（ステップ２０４）。
検査装置３は、全領域４５について、基準画像３１と検査画像３３とを比較して全領域比較情報３７を算出する（ステップ２０５）。
検査装置３は、全領域比較情報３７からアドレス情報３９に対応する領域（可変領域４９）についての情報を除外し、共通領域比較情報３５を算出する（ステップ２０６）。
検査装置３は、共通領域比較情報３５に基づいて印刷物１７の良否判定を行う（ステップ２０７）。
処理を継続する場合は、ステップ２０３からの処理を繰り返す（ステップ２０８のＮｏ）。
【００３４】
以上の過程を経て、検査装置３は、全領域４５について基準画像３１と検査画像３３との比較処理を行い、全領域比較情報３７から共通領域比較情報３５を抽出して印刷物１７の良否判定を行う。
このように、検査装置３は、可変領域４９のマスク処理を比較処理の後に行い、共通領域４７について検査処理を行うことができる。
【００３５】
（６．アドレス情報３９の取得）
次に、図７及び図８を参照しながら、アドレス情報３９の取得（図５のステップ１０２及び図６のステップ２０２）について説明する。
【００３６】
（６−１．外部からのアドレス情報３９の取得）
図７は、端末装置５からのアドレス情報３９の取得を示す図である。
端末装置５は、変換プログラム５１を備える。データベース５３は、可変データ４３等を保持する。端末装置５は、印刷出力時に、変換プログラム５１を用いてデータベース５３の可変データ４３等をフォーム５５（共通データ４１に相当）に配置すると共に、配置位置（フォーム５５（共通データ４１）と可変データ４３とを対応付ける対応情報）に関する情報をアドレス情報３９として検査装置３に自動的に送信する。
【００３７】
このように、検査装置３は、端末装置５側から自動的にアドレス情報３９を取得することができるので、可変領域４９を手動で設定する必要がなく労力的負担を軽減することができる。
尚、アドレス情報３９の取得については、同一位置の可変領域４９に可変データ４３を印刷することが分かっている場合には、１枚目の印刷時にアドレス情報３９を端末装置５から検査装置３に送ればよく、２枚目以降の印刷時にアドレス情報３９を送る必要はない。
また、検査装置３は、可変データ４３等がフォーム５５に配置された印刷データからアドレス情報３９を抽出するようにしてもよい。
【００３８】
（６−２．印刷物１７からのアドレス情報３９の取得）
図８は、印刷物１７からのアドレス情報３９の取得を示す図である。
検査装置３は、撮像部２５により異なる可変データ４３が印刷された複数（少なくとも２枚）の印刷物１７−１及び印刷物１７−２の画像データを取得する。検査装置３は、これらの画像データに対して画像処理を行い、差異のある領域を可変領域４９として抽出する。検査装置３は、この可変領域４９の位置情報をアドレス情報３９としてメモリ２３に保持する。
【００３９】
このように、検査装置３は、複数の印刷物１７の画像データから可変領域４９を抽出してアドレス情報３９を取得することができるので、可変領域４９を手動で設定する必要がなく労力的負担を軽減することができる。
【００４０】
（７．効果等）
本発明によれば、印刷物検査装置は、可変データのアドレス情報から可変領域をマスクして基準画像と検査画像との比較情報を算出し、この比較情報に基づいて良否判定を行うことにより、可変データを含む印刷物の検査処理を行うことができる。
可変データのアドレス情報については、各種データをフォーム上に配置して印刷データへの変換を行う変換プログラムや印刷データから自動的に取得することができるので、可変領域のマスク処理に係る労力的負担を増大させることなく、共通領域の検査を行うことができる。
また、表裏両面の検査を同時に行うことにより内容照合も可能であり、表裏で異なる個人情報を印刷してしまい個人情報が流出することを防止することができる。
【００４１】
以上、添付図面を参照しながら、本発明にかかる印刷物検査装置及び印刷装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４２】
【図１】印刷装置１の構成図
【図２】検査装置３のハードウェア構成図
【図３】印刷物１７を示す図
【図４】印刷物１７における領域を示す図
【図５】検査装置３の動作を示すフローチャート（比較処理前にマスク処理を行う場合）
【図６】検査装置３の動作を示すフローチャート（比較処理後にマスク処理を行う場合）
【図７】端末装置５からのアドレス情報３９の取得を示す図
【図８】印刷物１７からのアドレス情報３９の取得を示す図
【符号の説明】
【００４３】
１………印刷装置
３………検査装置
５………端末装置
１７………印刷物
２１………ＣＰＵ
２３………メモリ
３１………基準画像
３３………検査画像
３５………共通領域比較情報
３７………全領域比較情報
３９………アドレス情報
４１………共通データ
４３………可変データ
４５………全領域
４７………共通領域
４９………可変領域
５１………変換プログラム
５３………データベース
５５………フォーム
【図１】
2007226616.tif 000003
【図２】
2007226616.tif 000004
【図３】
2007226616.tif 000005
【図４】
2007226616.tif 000006
【図５】
2007226616.tif 000007
【図６】
2007226616.tif 000008
【図７】
2007226616.tif 000009
【図８】
2007226616.tif 000010